(57)【要約】【課題】引き紐を必要以上に強く引っ張った場合でも、引き紐やスイッチの破損を防ぐ。【解決手段】第一コネクタ１５１（第一部材）は、紐１４０（紐状体）の一端に固定されている。第二コネクタ１５２（第二部材）は、第一コネクタ１５１を挿入する穴を有する。コイルばね１５３（弾性体）は、第二コネクタ１５２の穴の内側に固定され、第二コネクタ１５２の穴のなかに挿入した第一コネクタ１５１に当接して、第一コネクタ１５１を第二コネクタ１５２のなかに保持する。利用者が引き紐１２０を引っ張ると、コイルばね１５３が弾性変形し、引き紐１２０を引っ張る引っ張り力が所定の閾値を超えると、第一コネクタを解放する。【選択図】図２
2010225549.tif 000002
【特許請求の範囲】
【請求項１】
所定の閾値を超える力で引っ張ると復元可能に分離する引き紐と、
上記引き紐を引っ張る力により操作されるスイッチとを有することを特徴とするスイッチ装置。
【請求項２】
上記引き紐は、
紐状の紐状体と、
上記紐状体の一端に固定された第一部材と、
上記第一部材を挿入する穴を有する第二部材と、
上記第二部材の穴の内側に固定され、上記第二部材の穴のなかに挿入した上記第一部材に当接して、上記第一部材を上記第二部材の穴のなかに保持し、上記引き紐を引っ張ると弾性変形し、上記引き紐を引っ張る引っ張り力が上記所定の閾値を超えると上記第一部材を解放する弾性体とを有することを特徴とする請求項１に記載のスイッチ装置。
【請求項３】
上記第一部材は、上記弾性体と当接する部分に所定の角度が設けられていることを特徴とする請求項２に記載のスイッチ装置。
【請求項４】
請求項１乃至請求項３のいずれかに記載のスイッチ装置と、上記スイッチ装置の操作により光源を点灯あるいは消灯する点灯装置とを有することを特徴とする照明器具。
【発明の詳細な説明】
【技術分野】
【０００１】
この発明は、天井面などに取り付ける照明器具などを操作するスイッチ装置に関する。
【背景技術】
【０００２】
天井面などに取り付ける照明器具などの装置において、装置から吊り下げた引き紐を引っ張ることによりスイッチを操作して、点灯・消灯などの動作をさせるものがある。
【先行技術文献】
【特許文献】
【０００３】
【特許文献１】特開２００８−２７７９３号公報
【発明の概要】
【発明が解決しようとする課題】
【０００４】
このような装置において、利用者が意図せずに引き紐を必要以上に強く引っ張ってしまう場合があり、引き紐の切断やスイッチの破損などを招く場合がある。
この発明は、例えば上記のような課題を解決するためになされたものであり、引き紐やスイッチなどの破損を防ぐことを目的とする。
【課題を解決するための手段】
【０００５】
この発明にかかるスイッチ装置は、所定の閾値を超える力で引っ張ると復元可能に分離する引き紐と、上記引き紐を引っ張る力により操作されるスイッチとを有することを特徴とする。
【発明の効果】
【０００６】
この発明にかかるスイッチ装置によれば、所定の閾値を超える力で引っ張ると、引き紐が復元可能に分離するので、それ以上の力が引き紐やスイッチなどに加わるのを防ぐことができ、その結果、引き紐やスイッチなどの破損を防ぐことができる。
【図面の簡単な説明】
【０００７】
【図１】実施の形態１における照明器具８００の全体構成を示す斜視図。
【図２】実施の形態１における引き紐１２０の構成を示す部分拡大斜視破断図。
【図３】実施の形態１における引き玉１５０の構造を示す分解斜視破断図。
【図４】実施の形態１における引き玉１５０の内部を示す側面視端面図。
【図５】実施の形態２における引き玉１５０の構造を示す分解斜視破断図。
【図６】実施の形態３における引き玉１５０の構造を示す分解斜視破断図。
【図７】実施の形態４における照明器具８００の全体構成を示す斜視図。
【図８】実施の形態４における接続具１６０の構造を示す分解斜視破断図。
【発明を実施するための形態】
【０００８】
実施の形態１．
実施の形態１について、図１〜図４を用いて説明する。
【０００９】
図１は、この実施の形態における照明器具８００の全体構成を示す斜視図である。
照明器具８００は、天井面などに設置されたシーリング型コンセントに取り付け、天井面などから吊り下げて使用するペンダント型照明である。照明器具８００は、シーリング８１０、吊下げコード８２０、セード８３０、スイッチ１１０、引き紐１２０を有する。
照明器具８００は、引き紐１２０を引っ張ることにより、スイッチ１１０を操作し、ランプＬＡ１，ＬＡ２を点灯・消灯する。
スイッチ１１０・引き紐１２０は、スイッチ装置の一例である。照明器具８００は、スイッチ装置の操作によって動作する機器の一例であり、ペンダント型照明でなく、例えば埋め込み型照明などであってもよい。また、スイッチ装置の操作によって動作する機器は、例えば換気扇など、照明器具以外の電気機器であってもよい。
【００１０】
引き紐１２０は、接続金具１３０、紐１４０、引き玉１５０を有する。接続金具１３０は、紐１４０をスイッチ１１０に接続する。紐１４０（紐状体）は、引き玉１５０に利用者の手が届くよう、十分な長さを有する。引き玉１５０は、利用者が引き紐１２０を引っ張るために掴む部分である。利用者が引き玉１５０を掴んで引っ張ると、その力が紐１４０、接続金具１３０を伝って、スイッチ１１０に伝達し、スイッチ１１０が操作される。
【００１１】
図２は、この実施の形態における引き紐１２０の構成を示す部分拡大斜視破断図である。
引き玉１５０は、第一コネクタ１５１、第二コネクタ１５２、コイルばね１５３を有する。第一コネクタ１５１は棒状であり、紐１４０の下端に、結び目１４１などにより固定されている。第二コネクタ１５２は筒状であり、第一コネクタ１５１を挿入可能な穴を有する。コイルばね１５３は、第二コネクタ１５２に固定されていて、第一コネクタ１５１と嵌合して、第一コネクタ１５１を保持する。
【００１２】
図３は、この実施の形態における引き玉１５０の構造を示す分解斜視破断図である。
【００１３】
第一コネクタ１５１（第一部材）は、紐挿通穴２１１、胴部２１２、ばね嵌合溝上部２１３、ばね嵌合溝側部２１４、ばね当接テーパー部２１５、下端テーパー部２１６、下端面部２１７を有する。
紐挿通穴２１１は、第一コネクタ１５１を長手方向に貫通している。紐挿通穴２１１に紐１４０を通すことにより、第一コネクタ１５１を紐１４０に固定する。
胴部２１２は、ほぼ円柱状である。ばね嵌合溝上部２１３・ばね嵌合溝側部２１４、ばね当接テーパー部２１５によって囲まれた溝が、第一コネクタ１５１の側面を一周する形で、第一コネクタ１５１の下寄りの位置に形成されている。コイルばね１５３は、この溝に嵌合する。第一コネクタ１５１の下端は、下端テーパー部２１６により先細りとなり、円状の下端面部２１７が一番下の端を形成している。
ばね当接テーパー部２１５は、第一コネクタ１５１の長手方向に対して角度ａの傾斜を有する。また、下端テーパー部２１６は、第一コネクタ１５１の長手方向に対して角度ｂの傾斜を有する。角度ａ及び角度ｂは、ともに９０度未満であり、角度ａのほうが角度ｂよりも大きい。
下端テーパー部２１６の上端の直径をｃとすると、ばね嵌合溝側部２１４の直径は直径ｃよりも小さい。胴部２１２の直径は、後述するコネクタ挿入穴２２１の直径ｈとほぼ等しい。
【００１４】
第二コネクタ１５２（第二部材）は、コネクタ挿入穴２２１、ばね固定溝下部２２２、ばね固定溝側部２２３、ばね固定溝上部２２４を有する。
コネクタ挿入穴２２１（穴）は、第二コネクタ１５２を長手方向に貫通し、第一コネクタ１５１を挿入するための穴である。コネクタ挿入穴２２１の直径ｈは、直径ｃよりも大きい。コネクタ挿入穴２２１には、第一コネクタ１５１を上から挿入する。コネクタ挿入穴２２１は、第一コネクタ１５１を挿入するための十分な深さがあればよく、下まで貫通していなくてもよい。ばね固定溝下部２２２・ばね固定溝側部２２３・ばね固定溝上部２２４によって囲まれた溝が、コネクタ挿入穴２２１の内壁を一周する形で、第二コネクタ１５２に形成されている。コイルばね１５３は、この溝に嵌合して固定される。
ばね固定溝下部２２２及びばね固定溝上部２２４は、コイルばね１５３が外れにくくするため、第二コネクタ１５２の長手方向に対してほぼ垂直な面をなす。
【００１５】
コイルばね１５３（弾性体）は、太さｄの金属線を直径ｅの螺旋状に巻き、それを内径ｆ外径ｇ（ｇ−ｆ＝２ｅ）のドーナツ状に丸めた形状である。内径ｆは直径ｃよりも小さく、外径ｇは直径ｈよりも大きい。
【００１６】
図４は、この実施の形態における引き玉１５０の内部を示す側面視端面図である。
状態（１）において、コイルばね１５３は、第一コネクタ１５１のばね嵌合溝上部２１３・ばね嵌合溝側部２１４・ばね当接テーパー部２１５、第二コネクタ１５２のばね固定溝下部２２２・ばね固定溝側部２２３・ばね固定溝上部２２４に囲まれた空間に嵌合し、第一コネクタ１５１と第二コネクタ１５２とを固定している。
状態（２）において、利用者が第二コネクタ１５２を下に引っ張ると、第一コネクタ１５１と第二コネクタ１５２とがずれて、コイルばね１５３がばね当接テーパー部２１５に当接して弾性変形する。これにより第一コネクタ１５１を下に引っ張る力が発生し、利用者が第二コネクタ１５２を引っ張った力が第一コネクタ１５１を介して、紐１４０、接続金具１３０、スイッチ１１０に伝達され、スイッチ１１０が操作される。
状態（３）において、利用者がスイッチ１１０を操作するのに必要な力より強い力で第二コネクタ１５２を引っ張ると、コイルばね１５３が更に変形して、ばね当接テーパー部２１５を乗り越え、状態（４）に至る。第一コネクタ１５１が解放され、第二コネクタ１５２（及びその内部に固定されたコイルばね１５３）だけが外れるので、利用者が第二コネクタ１５２を引っ張った力は、第一コネクタ１５１に伝達されず、紐１４０・接続金具１３０・スイッチ１１０などの破損を防ぐ。
【００１７】
このとき、ばね固定溝下部２２２・ばね固定溝上部２２４が、第二コネクタ１５２の長手方向に対してほぼ垂直なので、コイルばね１５３は、ばね固定溝側部２２３に押し当てられ、第二コネクタ１５２の溝から外れることはない。これに対し、ばね当接テーパー部２１５には角度ａの傾斜があるので、コイルばね１５３は、第一コネクタ１５１の溝から外れて、第一コネクタ１５１を解放する。コイルばね１５３は弾性体で形成されているので、第一コネクタ１５１を解放すると、元の形状に戻る。
【００１８】
第一コネクタ１５１が解放される引っ張り力の閾値は、第一コネクタ１５１やコイルばね１５３の形状などによって定まる。金属線の太さｄを太くすると、コイルばね１５３の変形応力が大きくなるので、閾値が大きくなる。螺旋の直径ｅを小さくしても同様に、変形応力が大きくなり、閾値が大きくなる。また、直径ｃを小さくしたり内径ｆを大きくしたりして、乗り越えるべき山の高さを小さくすると、コイルばね１５３の変形量が少なくなり、閾値が小さくなる。また、ばね当接テーパー部２１５の角度ａを大きくすることにより、コイルばね１５３を変形させる方向に働く力が弱くなり、閾値が大きくなる。
したがって、これらの形状を調整することにより、引き紐１２０が伝達する力の最大値を任意に定めることができる。
【００１９】
第一コネクタ１５１と第二コネクタ１５２とが分離して状態（４）に至った場合、利用者は、第一コネクタ１５１を第二コネクタ１５２のコネクタ挿入穴２２１に上から挿入して、押し込む。
状態（５）において、コイルばね１５３が下端テーパー部２１６に当接して弾性変形し、利用者が第一コネクタ１５１をコネクタ挿入穴２２１に押し込もうとする力に対する反発力を生じる。
状態（６）において、利用者が更に強く第一コネクタ１５１をコネクタ挿入穴２２１に押し込むと、コイルばね１５３が更に変形して、下端テーパー部２１６を乗り越え、状態（１）に至る。コイルばね１５３が、第一及び第二コネクタ１５１，１５２の溝に嵌まり、第一コネクタ１５１と第二コネクタ１５２とを固定する。
【００２０】
このとき、下端テーパー部２１６の傾斜の角度ｂは、ばね当接テーパー部２１５の傾斜の角度ａより小さいので、第一コネクタ１５１と第二コネクタ１５２とを分離するのに必要な力よりも、第一コネクタ１５１と第二コネクタ１５２とを再結合するのに必要な力のほうが小さい。また、コイルばね１５３は弾性体で形成されているので、コイルばね１５３が第一及び第二コネクタ１５１，１５２の溝に嵌まると、元の形状に戻る。
【００２１】
このように、引き紐１２０が、所定以上の力（荷重）で引っ張られると復元可能に分離するので、それ以上の力がスイッチ１１０などに加わるのを防ぎ、スイッチ１１０などが破損するのを防ぐことができる。
分離した引き紐１２０は、容易に再結合することができるので、部品の交換などの必要がない。
【００２２】
なお、コイルばね１５３に代えて、Ｏリングやゴムチューブなどの弾性体を設ける構成としてもよい。
【００２３】
実施の形態２．
実施の形態２について、図５を用いて説明する。
なお、実施の形態１と共通する部分については、同一の符号を付し、説明を省略する。
【００２４】
図５は、この実施の形態における引き玉１５０の構造を示す分解斜視破断図である。
第一コネクタ１５１は、上端にフランジ２１８を有する。フランジ２１８は、円盤状であり、コネクタ挿入穴２２１の直径ｈよりも直径が大きい。
第二コネクタ１５２は、コネクタ挿入穴２２１の上端にフランジ受部２２８を有する。フランジ受部２２８は、フランジ２１８よりも直径が大きく、フランジ２１８に係合する。
【００２５】
第一コネクタ１５１の上端の面積が大きいので、第一コネクタ１５１をコネクタ挿入穴２２１に押し込むとき、押し込みやすい。また、第一コネクタ１５１の溝にコイルばね１５３が嵌まる位置まで、第一コネクタ１５１を押し込むと、フランジ２１８がフランジ受部２２８に当接するので、押し込み過ぎなどにより第一コネクタ１５１と第二コネクタ１５２とが正しく固定されない状態となるのを防ぐことができる。
【００２６】
なお、フランジ２１８を設ける代わりに、胴部２１２を円錐状とし、上にいくほど連続的に第一コネクタ１５１の直径が大きくなる形状としてもよい。
【００２７】
実施の形態３．
実施の形態３について、図６を用いて説明する。
なお、実施の形態１〜実施の形態２と共通する部分については、同一の符号を付し、説明を省略する。
【００２８】
図６は、この実施の形態における引き玉１５０の構造を示す分解斜視破断図である。
第一コネクタ１５１は、上端に上端テーパー部２１９を有する。上端テーパー部２１９は、第一コネクタ１５１の長手方向に対して傾斜を有し、上にいくほど細くなる。
コイルばね１５３は、ドーナツ状ではなく、まっすぐな円筒状であるものを、第二コネクタ１５２の溝に嵌めることにより、切れ目２３１を有するＣ字状となる。
第二コネクタ１５２は、スリット２２９を有する。スリット２２９は、第二コネクタ１５２の長手方向に平行に設けられた切れ目であり、コネクタ挿入穴２２１と外部とを接続する。
また、第二コネクタ１５２は、二つのばね端受部２２５を有する。ばね端受部２２５は、ばね固定溝側部２２３からコネクタ挿入穴２２１の中心方向に突出した板状であり、スリット２２９を挟む位置に設けられている。コイルばね１５３を第二コネクタ１５２の溝に固定したとき、ばね端受部２２５が切れ目２３１に嵌まり、コイルばね１５３が回転するのを防ぐ。これにより、コイルばね１５３の切れ目２３１は、スリット２２９の位置に固定される。
【００２９】
この実施の形態における第一コネクタ１５１は、第二コネクタ１５２に結合させる際のやり方が、実施の形態１及び実施の形態２と異なる。
まず、紐１４０をスリット２２９に通して、コネクタ挿入穴２２１のなかに入れる。
次に、第一コネクタ１５１を第二コネクタ１５２の下側からコネクタ挿入穴２２１に挿入する。上端テーパー部２１９がコイルばね１５３に当接し、コイルばね１５３が弾性変形して、第一コネクタ１５１の溝にコイルばね１５３が嵌まる。
【００３０】
このとき、第一コネクタ１５１を押し込むのではなく、紐１４０を引っ張って、第一コネクタ１５１を嵌めることができるので、取り付けやすい。
【００３１】
なお、この例では、実施の形態１と同様に、第一コネクタ１５１を第二コネクタ１５２の上からコネクタ挿入穴２２１に挿入するやり方でも、第一コネクタ１５１を第二コネクタ１５２に結合させることができる。しかし、第一コネクタ１５１は、下端テーパー部２１６を有さない構成であってもよい。
【００３２】
実施の形態４．
実施の形態４について、図７〜図８を用いて説明する。
なお、実施の形態１〜実施の形態３と共通する部分については、同一の符号を付し、説明を省略する。
【００３３】
図７は、この実施の形態における照明器具８００の全体構成を示す斜視図である。
引き紐１２０は、接続具１６０、紐１４０、引き玉１５０を有する。
引き玉１５０は、実施の形態１〜実施の形態３と異なり、従来の引き玉と同様の構造である。
接続具１６０は、実施の形態１〜実施の形態３で説明した引き玉１５０と同様の構造を有する。
【００３４】
図８は、この実施の形態における接続具１６０の構造を示す分解斜視破断図である。
接続具１６０は、第一コネクタ１６１、第二コネクタ１６２、コイルばね１６３、紐１６４を有する。
第一コネクタ１６１は、実施の形態１で説明した第一コネクタ１５１を上下反転した構造を有する。第一コネクタ１６１は、紐１４０の上端に固定されている。
第二コネクタ１６２は、実施の形態１で説明した第二コネクタ１５２を上下反転した構造に加えて、紐取り付け穴２２６を有する。紐取り付け穴２２６は、紐１６４を通すため、第二コネクタ１６２の上端付近に設けられた貫通穴である。
コイルばね１６３は、実施の形態１で説明したコイルばね１５３と同様の構造であり、第二コネクタ１６２に固定されている。
紐１６４は、紐取り付け穴２２６を通り、スイッチ１１０に結び付けられている。
【００３５】
利用者が紐１４０や引き玉１５０を引っ張ると、その力は、第一コネクタ１６１に伝達される。引き玉１５０を引っ張る力が所定の閾値以下であれば、コイルばね１６３が第一コネクタ１６１と第二コネクタ１６２とを固定しているので、その力は、第二コネクタ１６２・紐１６４を介してスイッチ１１０に伝達され、スイッチ１１０が操作される。引き玉１５０を引っ張る力が強すぎて閾値を超えると、コイルばね１６３が変形して第一コネクタ１６１を解放するので、無理な力が紐１４０やスイッチ１１０に加わらず、スイッチ１１０などが破損するのを防ぐ。
このように、利用者が引き玉１５０ではなく、紐１４０を引っ張った場合でも、スイッチ１１０などが破損するのを防ぐことができる。
【００３６】
なお、接続具１６０は、実施の形態２や実施の形態３で説明した引き玉１５０と同様の構造であってもよい。
【００３７】
また、所定以上の力で引っ張ると復元可能に分離する構造は、実施の形態１〜実施の形態３で説明したように引き紐１２０の一番下に位置する引き玉１５０や、この実施の形態で説明したように引き紐１２０の一番上に位置する接続具１６０が備える構成のほか、紐１４０を二つに分割してその結合部分に、このような構造を備える構成であってもよい。
【符号の説明】
【００３８】
１１０  スイッチ、１２０  引き紐、１３０  接続金具、１４０，１６４  紐、１４１  結び目、１５０  引き玉、１５１，１６１  第一コネクタ、１５２，１６２  第二コネクタ、１５３，１６３  コイルばね、１６０  接続具、２１１  紐挿通穴、２１２  胴部、２１３  ばね嵌合溝上部、２１４  ばね嵌合溝側部、２１５  ばね当接テーパー部、２１６  下端テーパー部、２１７  下端面部、２１８  フランジ、２１９  上端テーパー部、２２１  コネクタ挿入穴、２２２  ばね固定溝下部、２２３  ばね固定溝側部、２２４  ばね固定溝上部、２２５  ばね端受部、２２６  紐取り付け穴、２２８  フランジ受部、２２９  スリット、２３１  切れ目、８００  照明器具、８１０  シーリング、８２０  吊下げコード、８３０  セード、ＬＡ１，ＬＡ２  ランプ。
【図１】
2010225549.tif 000003
【図２】
2010225549.tif 000004
【図３】
2010225549.tif 000005
【図４】
2010225549.tif 000006
【図５】
2010225549.tif 000007
【図６】
2010225549.tif 000008
【図７】
2010225549.tif 000009
【図８】
2010225549.tif 000010